(57)【要約】【課題】  軸組みに際し、形状の異なる軸受部材を使用するのではなく、１種類の軸受具のみで施工が容易な建築用軸組部材と、この建築用軸組部材を使用した建築用軸組構法を提供する。【解決手段】  軸組みする一方の木材に設けるフック部材２と、フック部材２を他方の木材に固定するロック部材９で構成され、フック部材２は、フック主体２ａの基端側の上下縁部にピン挿通部４，４が、その先端側には、他方の木材に形成される軸組み用の大入れ部の底部と当接する係止板３が、フック主体２ａと直交する状態で付設され、係止板３には中心部から一方側に偏倚させて、開口部を左右の縁部に有する係合部８ａ，８ｂが左右対称に設けられている。前記ロック部材は、係止板３に設けられた一方の係合部８ａと係合するリング状の溝部１２が、少なくとも軸部１０の一端側に設けられている。【選択図】      図２
2014218778.tif 000002
【特許請求の範囲】
【請求項１】
交差する一方の木材に装着されるフック部材と、当該フック部材を他方の木材に装着させるためのロック部材からなる軸組部材であって、
前記フック部材は、
板状のフック主体の基端側の上下縁部に、それぞれ固定用のピンを挿通させるためのピン挿通部が形成され、その先端側には、前記他方の木材に形成される軸組み用の大入れ部の底部と当接する係止板が、前記フック主体と直交する状態で付設されるとともに、前記係止板の中心部から一方側に偏倚させて、開口部を左右の縁部に有する係合部が左右対称に設けられたもので、
前記ロック部材は、
前記係止板に設けられた一方の係合部と係合するリング状の溝部が、少なくとも軸部の一端側に設けられていること
を特徴とする建築用軸組部材。
【請求項２】
前記ピン挿通部は、
前記フック主体の基端側の上下の縁部に上下対称に形成された、Ｕ字状の溝部からなること
を特徴とする請求項１に記載の建築用軸組部材。
【請求項３】
前記フック主体は、
前記上下の縁部に形成されるピン挿通部以外に、フック部材を固定するためのピン挿通部が設けられていること
を特徴とする請求項１に記載の建築用軸組部材。
【請求項４】
前記係止板は、
前記フック主体の前縁部に、段部を介して形成された突出部に直交させて設けられていること
を特徴とする請求項１〜３のいずれかに記載の建築用軸組部材。
【請求項５】
前記ロック部材は、
軸部の一端側にリング状の溝部が形成されるとともに、他端部には軸組材と係着する係止板が設けられていること
を特徴とする請求項１に記載の建築用軸組部材。
【請求項６】
前記ロック部材は、
軸部の両端側にそれぞれリング状の溝部が形成されていること
を特徴とする請求項１に記載の建築用軸組部材。
【請求項７】
請求項１〜６のいずれかに記載の軸組部材を使用した軸組方法であって、
一方の木材の側面に、前記フック部材を構成する係止板を受け入れるための大入れ部を形成するとともに、この大入れ部の底面に、前記ロック部材の軸部を挿通するためのピン挿通部を開口させたのち、
前記大入れ部の背面側からロック部材の頭部を前記ピン挿通部に挿入し、前記ロック部材の先端側に形成されたリング状の溝部を大入れ部内に顕出させた状態で、前記フック部材の係止板を大入れ部内に挿入し、
前記係止板を、大入れ部の底面に沿って横方向にスライドさせながら、当該係止板に形成された一方の係合部を、前記ロック部材のリング状の溝部と係合させたのち、前記大入れ部から突出するフック部材に他方の木材の小口を装着させることによって、一方の木材と他方の木材を交差させて軸組すること
を特徴とする建築用軸組構法。
【請求項８】
前記係止板は、
前記大入れ部内において、前記係止板の一方の係合部とロック部材のリング状の溝部と係合させたのち、他方の係合孔を利用して横ずれ防止ピンを前記大入れ部の底面に打ち込み、フック部材の横ずれを防止すること
を特徴とする請求項７に記載の建築用軸組構法。
【発明の詳細な説明】
【技術分野】
【０００１】
この発明は、木造建築における軸組構法に使用される建築用軸組部材と、この建築用軸組部材を使用した建築用軸組構法に関するものであって、建築技術に関するものである。
【背景技術】
【０００２】
木造建築において、柱部材と梁部材を直交状態で結合させるに際して使用される建築用軸組構造と軸組具として、例えば、特許第３９９６３４３号公報（特許文献１）がある。
【０００３】
前記特許文献１に記載の建築用軸組構造は、互いに交差し合って軸組固定される柱状の受部材及び交差部材と、両部材間にあって両部材を互いに係止固定せしめる軸組フックとを備え、この軸組フックが受部材内に挿入係止されて、受部材側に軸組フック自体を係着せしめる係止フックと、前記係着状態で受部材の軸組面より突出して交差部材の木口側を受け止めて係止する受けフックとを備えてなるものである。
【０００４】
かかる建築用軸組構造において、前記受部材内に挿入され、その挿入端側が、受部材内部で前記係止フックと係脱可能に係止されることにより、前記受けフックが交差部材を受け止めた際に、受部材の前記軸組面の反対側からの支持反力を補うように牽引作用をする補強連結具を設け、この補強連結具が棒状のピンからなり、係止フックに係止される係止部が、前記ピンの端部周面に形成され、係止フックを収容係止する溝状の係止部を有するものである。
【０００５】
前記建築用軸組構造に用いられる軸組具は、軸組固定される柱状の受部材と交差部材間にあって、両部材を互いに係止固定せしめ、受部材内に挿入係止されて、受部材側に軸組フック自体を係着せしめる係止フックと、前記係着状態で受部材の軸組面より突出し、交差部材の木口側を受止めて係止する受けフックとを備えた軸組フックと、前記受部材内に挿入され、その挿入端側が受部材内部で、前記係止フックと係脱可能に係合されることにより、前記受けフックが交差部材を受け止めた際に、受部材の前記軸組面の反対側からの支持反力を補うように牽引作用をする補強連結具とからなるものである。
【０００６】
すなわち、この特許文献１に記載の軸組具は、軸組フックと、この軸組フックに係着させる連結補強具とから構成されるものである。
前記軸組フックは、前記特許文献１の図３で明らかなように、受けフックと、この受けフックの一端面に設けられる係止フックおよびキー部で構成されている。
【０００７】
前記連結補強具は、棒状のピンからなるもので、その端部近傍の周面には、前記係止フックと係合する溝状の係止部が形成されている。
【０００８】
かかる軸組フックは、柱部材の一端面内に軸組フックが装着され、この軸組フックに形成された係止フックに、前記一端面と相対する他端面から挿入された連結補強具の端面に形成した溝状の係止部を係着させ、軸組具を柱部材内に固定するものである。
【先行技術文献】
【特許文献】
【０００９】
【特許文献１】特許第３９９６３４３号公報（請求項１，図２，図３）
【発明の概要】
【発明が解決しようとする課題】
【００１０】
前記特許文献１に記載の軸組具における係止フックとキー部は、同文献の図４に示されているように、受けフックの一方の側縁に係止アームを介して係止フックが付設され、前記係止アームと一体にキー部が付設されている。
【００１１】
特に、前記係止アームの端面に付設される係止フックは、出願人が作成した図５で明らかなように、正面視が縦長の楕円形状であって、その厚さは約８ｍｍ、キー部も正面視が縦長の楕円形状で、厚さは約６ｍｍと、強度を必要とするためきわめて重厚な造りとなっている（参照）
そのため、この軸組具を受け入れる受部材（柱）には、図４（Ａ）および（Ｂ）に示すように、前記軸組具の形状と相応する装着部を形成する必要がある。
【００１２】
しかしながら、装着部の形状がきわめて複雑であるため、あらかじめ装着部を形成するためのプレカット工場が限定されるとともに、プレカットの精度が求められるため、装置そのものが高価なものになる。
【００１３】
さらに、前記軸組具を受部材に装着した場合、当該軸組具が振動などによって受部材内で上下動するのを防止するため、特許文献１の図７に示される樹脂製のスペーサを必須とするが、樹脂製のため、下からの突き上げである逆せん断力に弱い。
かつ、軸組具が鋳物製であるのに対し、前記スペーサは樹脂であるため、使用者に不安感を与えるという問題を有している。
【００１４】
さらにまた、柱に２つの梁を直交させて設ける場合、受フックに形成する係止フックおよびキー部の形成位置が異なる複種類の軸受具を必要とするために、相対的に軸組構法のコストを押し上げるという課題がある。
【００１５】
この発明はかかる現状に鑑み、軸組具の製造に際し、鉄板を溶接することによってコストダウンを図るとともに、ドリルによる穴開けとルーターによる大入れ加工とし、軸組部材への固定は、横スライド方式を採用することによって、上下の隙間を無くし、柱に梁を直交させる場合には、形状の異なる軸受部材を使用するのではなく、１種類の軸受具を２個使用して行うことのできる施工が容易な建築用軸組部材と、この建築用軸組部材を使用した建築用軸組構法を提供することを目的とするものである。
【課題を解決するための手段】
【００１６】
前記の目的を達成するため、この発明の請求項１に記載の建築用軸組部材は、
交差する一方の木材に装着されるフック部材と、当該フック部材を他方の木材に装着させるためのロック部材からなる軸組部材であって、
前記フック部材は、
板状のフック主体の基端側の上下縁部に、それぞれ固定用のピンを挿通させるためのピン挿通孔が形成され、その先端側には、前記他方の木材に形成される軸組み用の大入れ部の底部と当接する係止板が、前記フック主体と直交する状態で付設されるとともに、前記係止板の中心部から一方側に偏倚させて、開口部を左右の縁部に有する係合部が左右対称に設けられたもので、
前記ロック部材は、
前記係止板に設けられた一方の係合部と係合するリング状の溝部が、少なくとも軸部の一端側に設けられていること
を特徴とするものである。
【００１７】
この発明の請求項２に記載の発明は、
請求項１に記載の建築用軸組部材において、
前記ピン挿通孔は、
前記フック主体の基端側の上下の縁部に上下対称に形成された、Ｕ字状の溝部からなること
を特徴とするものである。
【００１８】
この発明の請求項３に記載の発明は、
請求項１に記載の建築用軸組部材において、
前記フック主体は、
前記上下の縁部に形成されるピン挿通孔以外に、フック部材を固定するためのピン挿通孔が設けられていること
を特徴とするものである。
【００１９】
この発明の請求項４に記載の発明は、
請求項１〜３のいずれかに記載の建築用軸組部材において、
前記係止板は、
前記フック主体の前縁部に、段部を介して形成された突出部に直交させて設けられていること
を特徴とするものである。
【００２０】
この発明の請求項５に記載の発明は、
請求項１に記載の建築用軸組部材において、
前記ロック部材は、
軸部の一端側にリング状の溝部が形成されるとともに、他端部には軸組材と係着する係止板が設けられていること
を特徴とするものである。
【００２１】
この発明の請求項６に記載の発明は、
請求項１に記載の建築用軸組部材において、
前記ロック部材は、
軸部の両端側にそれぞれリング状の溝部が形成されていること
を特徴とするものである。
【００２２】
さらに、この発明の請求項７に記載の発明は、
請求項１〜６のいずれかに記載の軸組部材を使用した軸組方法であって、
一方の木材の側面に、前記フック部材を構成する係止板を受け入れるための大入れ部を形成するとともに、この大入れ部の底面に、前記ロック部材の軸部を挿通するためのピン挿通孔を開口させたのち、
前記大入れ部の背面側からロック部材の頭部を前記ピン挿通孔に挿入し、前記ロック部材の先端側に形成されたリング状の溝部を大入れ部内に顕出させた状態で、前記フック部材の係止板を大入れ部内に挿入し、
前記係止板を、大入れ部の底面に沿って横方向にスライドさせながら、当該係止板に形成された一方の係合部を、前記ロック部材のリング状の溝部と係合させたのち、前記大入れ部から突出するフック部材に他方の木材の小口を装着させることによって、一方の木材と他方の木材を交差させて軸組すること
を特徴とする建築用軸組構法である。
【００２３】
この発明の請求項８に記載の発明は、
請求項４に記載の建築用軸組構法において、
前記係止板は、
前記大入れ部内において、前記係止板の一方の係合部とロック部材のリング状の溝部と係合させたのち、他方の係合孔を利用して横ずれ防止ピンを前記大入れ部の底面に打ち込み、フック部材の横ずれを防止すること
を特徴とするものである。
【発明の効果】
【００２４】
この発明にかかる建築用軸組部材は、フック主体の先端面に係止板を直交させて設けるとともに、当該係止板の中心から偏倚する位置に、開口部を左右の縁部に形成した左右一対の係合部と、上下の縁部に固定用のピンを挿通させるためのピン挿通孔が形成されたフック部材と、前記フック部材のいずれか一方の係合部と係合するリング状の溝部を、軸部の一端部に有するロック部材とからなるので、構成がきわめて簡単で取り扱いが容易なため、高度な専門知識がなくても軸組構法を行うことができる。
【００２５】
前記建築用軸組部材を装着するために木材に形成する大入れ部などはルーター、ドリルや丸ノミなどの工具で容易に加工することができるので、プレカット工場の選択肢が増えるとともに、その精度も極端にハイレベルな技術が要求されないので、相対的に軸組作業のコストを低減させることができる。
【００２６】
さらに、交差する木材が、下方から受ける逆せん断応力は、前記軸組部材と木材で抵抗を受けるため、構築物の強度を大幅に向上させることができる。
【００２７】
さらにまた、フック部材に設けられる係止板は、ロック部材と係着する係合部が、中心部から一方側に偏倚させた状態で設けられているので、従来の軸組部材のように形状の異なる複数の軸組部材をあらかじめ準備する必要がなく、１種類の軸組部材で複数の軸組に対応することができる。
【００２８】
この発明にかかる建築用軸組構法は、使用する軸組部材の構成が簡単かつ取り扱いが容易なものであるとともに、フック部材の木材への装着に際し、フック部材を横スライドさせながら行うことができるので、上下の隙間をなくすことができる。
【図面の簡単な説明】
【００２９】
【図１】図１は、この発明にかかる軸組部材を構成するフック部材の一例を示す斜視図である。
【図２】図２は、この発明の軸組部材を構成するフック部材とロック部材の係着方法を示す説明図である。
【図３】図３は、使用状態の一例を示す平面図である。
【図４】図４は、図３の背面図である。
【図５】図５は、使用状態の他の例を示す斜視図である。
【図６】図６は、図５の平面図である。
【図７】図７は、図５の背面図である。
【図８】図８は、使用状態のさらに他の例を示す斜視図である。
【図９】図９は、図８の平面図である。
【図１０】図１０は、図８の背面図である。
【発明を実施するための形態】
【００３０】
以下、この発明にかかる軸組部材と、この軸組部材を使用した建築用軸組構法を、添付の図面に基づいて説明する。
なお、この発明は、以下の実施例にのみ限定されるものではなく、その要旨を変更しない範囲内において、種々改良を加えることができるものである。
【００３１】
この発明にかかる軸組部材１は、図２に示すように、フック部材２とロック部材９とで構成されるものである。
一方のフック部材２は、図１に示すように、例えば、鉄板などの剛性を有する所要の厚みのフック主体２ａと、このフック主体２ａの先端部に段部を介して一体的に設けられた突出部２ｂに直交する状態で溶着される係止板３からなるものである。
【００３２】
前記突出部２ｂと、この突出部２ｂに付設された係止板３は、後述する深皿状の大入れ部が形成された木材内に位置するものである。
【００３３】
前記フック主体２ａの基端側の上下の縁部には、それぞれＵ字状の溝部を上下対称に形成してピン挿通孔４，４としたもので、基端部に前記フック主体２ａの縦方向の幅よりも幅狭の把手部５が形成されている。
【００３４】
なお、前記フック主体２ａの中央部には窓部６が開口され、フック主体２ａの軽量化が図られている。
【００３５】
さらに、前記フック主体２ａには、前記ピン挿通孔４，４以外に、フック主体２ａをより確実に梁材に固定するためのピン挿通孔７，７が形成されるが、その数には特段の制限はないものである。
【００３６】
前記係止板３は、所要の幅と、前記フック主体２ａの突出部２ｂの先端部の長さと等しい長さを要する矩形状の板状体から構成されている。
この係止板３は、その中心部からいずれか一方側、実施例においては下方に偏倚させた状態で、各側縁部から中心に向かって左右対称に溝状の係合部８ａ，８ｂがそれぞれ形成されている。
【００３７】
なお、前記突出部２ｂと、この突出部２ｂに付設された係止板３は、深皿状の大入れ部１５内に位置させるため、前記突出部２ｂは、フック主体２ａの先端面の上下のコーナー部を切り欠いて段部を形成したのである。
したがって、当該突出部２ｂの幅と前記係止板２の厚みの総計が、深皿状の大入れ部１５の深さと同一であることが求められる。
【００３８】
他方のロック部材９は、少なくとも軸部１０の一端にリング状の溝部１２を有するもので、使用部位の相違によって少なくとも２種類が存在する。
【００３９】
すなわち、図２〜図４に示すように、１本の柱材１４に対し１本の梁材１６を軸組みする場合に使用するロック部材９は、以下の構成からなるものである。
【００４０】
図２で明らかなように、柱材１４の相対する一方の側面Ｂに形成された深皿状の大入れ部１５内に先端部が突出する長さを有する軸部１０の基端部に、他方の側面Ａに形成された皿状の固定部１１ａと係着する係止板１１が設けられ、当該軸部１０の先端部には、リング状の溝部１２が形成されている。
なお、図中、１３は軸部１０の頭部で、当該軸部１０は、前記リング状の溝部１２が前記大入れ部１５に顕出する長さで、柱材１４の厚みＴよりも短いものである。
【００４１】
他のロック部材９Ａは、図５および図６に示すように、柱材１４の相対する側面Ａ，Ｂにそれぞれ梁材１６，１６を軸組みする場合に使用されるものであって、軸部材１０の両端部に、それぞれリング状の溝部１２，１２を対称的に形成したものである。
【００４２】
以下、この発明にかかる建築用軸組部材１の使用例を説明する。
＜実施例１＞
図２は、図３および図４で明らかなように、柱材１４に対し、梁材１６を軸組みする場合であって、柱材１４の相対する一方の側面Ｂに、あらかじめルーターで形成された所要の深さの大入れ部１５を形成する。
同時に、他方の側面Ａから前記大入れ部１５の底面に貫通するロック部材９の軸部１０を挿通させるための挿通孔Ｈを一方側に偏倚させて設けるとともに、当該ロック部材９の係止板１１を係着させるための固定部１１ａをドリルやノミなどを使用して、前記側面Ａに形成する。
【００４３】
その際、前記挿通孔Ｈと並行に大入れ部１５の底面に、横ずれ防止ピン１８を係着させるためのピン挿通孔１７を、ドリルを使用して形成しておく。
【００４４】
ついで、前記側面Ａ側からロック部材９の軸部１０を挿入して、リング状の溝部１２を前記大入れ部１５内に顕出させる。
しかるのち、前記フック部材２の係止板３を、前記顕出した頭部１３と反対側から大入れ部１５内に挿入し、図５の矢印で示すように、軸部１０側にスライドさせて、軸部１０に形成された溝部１２に、係止板３に形成した一方の係合部８ａを係合させ、反対側の係合部８ｂから前記ピン挿通孔１７に向かって横ずれ防止ピン１８をねじ込んで、柱材１４にフック部材２を固定する。
【００４５】
その際、前記フック部材２の突出部２ｂは、その上下にそれぞれ段部を介してフック主体２ａに突出形成されているので、前記段部が大入れ部１５の開口縁部と係合密着するので、よりフック部材２を確実に柱材１４に固定することができる。
【００４６】
前記柱材１４へのフック部材２の固定が完了すると、軸組みしようとする梁材１６にあらかじめ加工されたフック部材２の係着部と、前記フック部材２とを、図３のように係着し、フック部材２のピン挿通孔４および７と対応させて梁材１６に設けた挿通部（図示せず）から固定ピン（図示せず）を打込んで、フック部材２と梁材１６とを一体化させて軸組みを完成させるものである。
【００４７】
なお、図４は、図３のフック部材２側からの一部切欠き断面図で、ロック部材９の軸部１０と横ずれ防止ピン１８によって、フック部材２が大入れ部１５内に横ずれすることなく固定されていることが分かる。
【００４８】
＜実施例２＞
図５〜図７は、柱材１４の相対する側面Ａ，Ｂにそれぞれ梁材１６，１６を、一直線上に軸組みする形態を示すものであって、相対する側面Ａ，Ｂにそれぞれ所要深さの大入れ部１５，１５がルーターで対称的に形成されている。
【００４９】
前記柱材１４の相対する位置に形成された大入れ部１５，１５には、互いの底面に開口するロック部材９Ａを挿通させるためのピン挿通孔Ｈが形成されるとともに、このピン挿通孔Ｈに並行して、各底面から横ずれ防止ピン１８を装着するためのピン挿通孔が形成されている。
【００５０】
したがって、前記ピン挿通孔Ｈにロック部材９Ａを挿通させ、このロック部材９Ａの両端部に形成されたリング状の溝部１２，１２を、それぞれ大入れ部１５，１５に顕出させた状態で、各フック部材２の係止板３を、図５の矢印方向に沿って各大入れ部１５に挿入させたのち、ロック部材９Ａ方向にスライドさせ、前記係止板３に形成された一方の係合部８ａとロック部材９Ａの溝部１２とを係合させ、しかるのち、係止板３の他方の係合部８ｂから横ずれ防止ピン１８を打込んで柱材１４にフック部材２，２を固定する。
【００５１】
その後、柱材１４に固定された各フック部材２に、前記フック部材２を受け入れるための装着部をそれぞれ形成した梁材１６，１６を上方から落し込んで、柱材１４を挟んで直線状に延びる２本の梁材１６，１６を軸組みする。
【００５２】
＜実施例３＞
図８〜図１０に示す実施例は、柱材１４に対して２本の梁材１６，１６を直交させて軸組みする場合を示したものである。
この実施例においては、柱材１４の隣接する側面Ａ，Ｂの同じ高さ位置に、ルーターを使用してそれぞれ所要深さの大入れ部１５，１５を形成し、各大入れ部１５，１５内にフック部材２，２を装着するものである。
【００５３】
この実施例で使用されるロック部材９は、前記実施例１と同様のものであるが、図８で明らかなように、各ロック部材９，９は同一平面ではなく、上下方向において交差するよう配置されている。
【００５４】
すなわち、使用するフック部材２，２は、実施例１および２と基本的に同一形状のものであるが、前記実施例と同様の用法では、各フック部材２と係合するロック部材９，９同士が衝突する。
したがって、一方のフック部材２は、その係止板３に形成された係合部８ａ，８ｂを上方に位置させ、他方のフック部材２は、その係止板３に形成された係合部８ａ，８ｂを下方に位置させて使用するものである。
【００５５】
そのため、一方のフック部材２の係合孔８ｂと係合させるため、ロック部材９を挿通されるためのピン挿通孔は上方に、他方のフック部材２の係合孔８ａと係合させるため、ロック部材９を挿通されるためのピン挿通孔は下方に、上下でクロスするよう配置される。
なお、各大入れ部１５へのフック部材２の装着方法は、実施例１と同様である。
【００５６】
この発明にかかる建築用軸組部材１は、柱材１４に形成される軸組みのための大入れ部１５に係着させるための係止板３を先端部に突出形成したフック部材２と、このフック部材２を前記大入れ部１５に固着するためのロック部材９とから構成されるので、建築用軸組部材１の構成をきわめて簡単なものとすることができ、その取り扱いが容易であるとともに、軸組みのための柱材への穴あけ作業を容易にし、多くの工場でプレカット加工することができるので、軸組みに要するコストダウンを図ることができる。
【産業上の利用可能性】
【００５７】
この発明の建築用軸組部材およびそれを使用した建築用軸組構法は、軸組部材がフック部材とロック部材で構成され、このロック部材と係合する係合部が、フック部材に形成された係止板の中心から偏倚する部位に設けられているので、１種類の軸受部材で柱材に対して複数の梁材を軸組することが可能であるため、広い範囲で軸組を行うことができる。
【符号の説明】
【００５８】
１      建築用軸受部材
２      フック部材
２ａ    フック主体
２ｂ    突出部
３      係止板
４      ピン挿通孔
５      把手部
６      窓部
７      ピン挿通孔
８ａ    係合部
８ｂ    係合部
９      ロック部材
１０    軸部
１１    係止板
１２    溝部
１３    頭部
１４    柱材
１５    大入れ部
１６    梁材
１７    ピン挿通孔
１８    横ずれ防止ピン
Ｈ      ピン挿通孔
【図１】
2014218778.tif 000003
【図２】
2014218778.tif 000004
【図３】
2014218778.tif 000005
【図４】
2014218778.tif 000006
【図５】
2014218778.tif 000007
【図６】
2014218778.tif 000008
【図７】
2014218778.tif 000009
【図８】
2014218778.tif 000010
【図９】
2014218778.tif 000011
【図１０】
2014218778.tif 000012